(57)【要約】【課題】圧力損失を軽減すると共に、動力伝達の接続元と接続先の位置関係の自由度を高め、且つ構成を簡素化する。【解決手段】羽根車２６の回転により空気を圧送する送風機２４及び送風機２４から圧送される空気により粒剤を散布する粒剤散布部２５を、運転席９より車両前方に配置することにより、送風機を運転席より車両後方のエンジンルームに配置していた従来技術に比して、送風経路を短くする。また、運転席９より車両後方に配置される駆動源７の動力を、車両前後方向へ延びるフレキシブルシャフト３６を介して、運転席９より車両前方に配置される羽根車２６に伝達することにより、エンジンルームにベベルギヤボックスを配置しエンジンからの動力伝達方向を変えて送風機に伝達している従来技術に比して、動力伝達の接続元と接続先の位置関係の自由度を高めると共に、動力伝達に用いられるプーリ、ベルト等の部品点数の低減を可能とする。【選択図】図４
2022001017.tif 000002
【特許請求の範囲】
【請求項１】
運転席（９）と、前記運転席（９）より車両後方に配置された駆動源（７）と、羽根車（２６）の回転により空気を圧送する送風機（２４）及び前記送風機（２４）から圧送される空気により粒剤を散布する粒剤散布部（２５）が設けられた粒剤散布装置（３）と、を備え、前記駆動源（７）の駆動により自走しながら、前記粒剤散布装置（３）により前記粒剤を散布する粒剤散布車（１００）であって、
前記送風機（２４）及び前記粒剤散布部（２５）は、前記運転席（９）より車両前方に配置され、
前記駆動源（７）の動力を、車両前後方向へ延びるフレキシブルシャフト（３６）を用いて、前記羽根車（２６）へ伝達することを特徴とする粒剤散布車（１００）。
【請求項２】
前記駆動源（７）は、エンジンであることを特徴とする請求項１記載の粒剤散布車（１００）。
【請求項３】
前記粒剤散布車（１００）は、
前記粒剤散布装置（３）より車両前方に配置され車両左右方向に延びるセンターブーム（２０）と、
その端部が、前記センターブーム（２０）の端部に回動可能に連結され、前記センターブーム（２０）と直線状に並ぶ開位置と前記センターブーム（２０）に対して回動され車両側方に折り畳まれる閉位置との間を移動するサイドブーム（２１）と、
前記センターブーム（２０）及び前記サイドブーム（２１）に複数が設けられ薬液を散布する噴霧ノズル（２３）と、を有するブーム装置（２）を備えたブームスプレーヤであることを特徴とする請求項１又は２記載の粒剤散布車（１００）。
【発明の詳細な説明】
【技術分野】
【０００１】
本発明は、粒剤散布車に関する。
【背景技術】
【０００２】
従来、自走しながら粒剤を散布する粒剤散布車が知られている（例えば、特許文献１参照）。この粒剤散布車は、自走式ブームスプレーヤの機能も果たすことができる車両であり、ブーム装置（ブームノズル装置）により薬液を散布することができ、また、粒剤散布装置により粒剤を散布できる。この粒剤散布車では、車両の前部から後部へ亘って、運転席、薬液を貯留する薬液タンク、エンジンや薬液散布用のポンプ等が設けられたエンジンルームが、この順で配置されている。
【０００３】
粒剤散布装置は、空気を圧送する送風機（ブロワ）と、送風機から圧送される空気により粒剤を散布する粒剤散布部と、を備えている。送風機は、エンジンルームに配置され、エンジンルームに配置されたエンジンにより駆動される。具体的には、エンジンの駆動力は、エンジン出力軸のプーリ、ベルト、電磁クラッチ側のプーリ、電磁クラッチ、電磁クラッチを入力軸に固定し動力伝達方向を９０°変えるベベルギヤボックス、ベベルギヤボックス出力軸のプーリ、ベルト、送風機のプーリに伝達されるようになっている。また、粒剤散布部は、運転席より前方に配置されている。そして、送風機と粒剤散布部とは、車両前後方向に延びる送風パイプにより接続されている。
【０００４】
ブーム装置は、粒剤散布部の下に配置され車両左右方向に延びるセンターブームと、その端部が、センターブームの端部に回動可能に連結され、センターブームと直線状に並ぶ開位置とセンターブームに対して回動され車両側方に折り畳まれる閉位置との間を移動するサイドブームと、センターブーム及びサイドブームに複数が設けられ薬液を散布する噴霧ノズルと、を備えている。
【０００５】
そして、運転手の運転により走行しながら、薬液散布用のポンプが駆動されることにより、直線状に並ぶセンターブーム及びサイドブームの複数の噴霧ノズルから薬液を散布でき、また、送風機が駆動されることによって、粒剤散布部に空気が圧送され粒剤を散布できる。
【先行技術文献】
【特許文献】
【０００６】
【特許文献１】特許３８７１６３３号
【発明の概要】
【発明が解決しようとする課題】
【０００７】
ここで、上記引用文献１にあっては、車両前方に粒剤散布部が配置され、車両後方に送風機が配置されているため、送風パイプによる送風経路が長く、圧力損失を軽減することが望まれている。また、配置部品が多いエンジンルームに送風機が配置されると共に、当該エンジンルームにベベルギヤボックスを配置しエンジンから送風機への動力伝達方向を変える構成のため、動力伝達の接続元と接続先の位置関係の自由度が低いと共に、動力伝達のためのプーリ、ベルト等多数の部品が必要で、構成の簡素化が求められている。
【０００８】
本発明は、このような課題を解決するために成されたものであり、送風経路を短くし圧力損失を軽減できると共に、動力伝達の接続元と接続先の位置関係の自由度が高く、且つ、部品点数を少なくし構成を簡素化できる粒剤散布車を提供することを目的とする。
【課題を解決するための手段】
【０００９】
本発明による粒剤散布車（１００）は、運転席（９）と、運転席（９）より車両後方に配置された駆動源（７）と、羽根車（２６）の回転により空気を圧送する送風機（２４）及び送風機（２４）から圧送される空気により粒剤を散布する粒剤散布部（２５）が設けられた粒剤散布装置（３）と、を備え、駆動源（７）の駆動により自走しながら、粒剤散布装置（３）により粒剤を散布する粒剤散布車（１００）であって、送風機（２４）及び粒剤散布部（２５）は、運転席（９）より車両前方に配置され、駆動源（７）の動力を、車両前後方向へ延びるフレキシブルシャフト（３６）を用いて、羽根車（２６）へ伝達することを特徴としている。
【００１０】
このような粒剤散布車（１００）によれば、羽根車（２６）の回転により空気を圧送する送風機（２４）及び送風機（２４）から圧送される空気により粒剤を散布する粒剤散布部（２５）はともに、運転席（９）より車両前方に配置されるため、送風機を運転席より車両後方のエンジンルームに配置していた従来技術に比して、送風経路が短くなり、圧力損失が軽減される。また、運転席（９）より車両後方に配置される駆動源（７）の動力が、車両前後方向へ延びるフレキシブルシャフト（３６）を介して、運転席（９）より車両前方に配置される羽根車（２６）に伝達されるため、エンジンルームにベベルギヤボックスを配置しエンジンからの動力伝達方向を変えて送風機に伝達している従来技術に比して、動力伝達の接続元と接続先の位置関係の自由度が高くされ、且つ、動力伝達に用いられるプーリ、ベルト等の部品点数を低減でき、構成が簡素化される。
【００１１】
ここで、上記作用を好適に奏する構成としては、具体的には、駆動源（７）を、エンジンとする構成が挙げられる。
【００１２】
また、粒剤散布車（１００）は、粒剤散布装置（３）より車両前方に配置され車両左右方向に延びるセンターブーム（２０）と、その端部が、センターブーム（２０）の端部に回動可能に連結され、センターブーム（２０）と直線状に並ぶ開位置とセンターブーム（２０）に対して回動され車両側方に折り畳まれる閉位置との間を移動するサイドブーム（２１）と、センターブーム（２０）及びサイドブーム（２１）に複数が設けられ薬液を散布する噴霧ノズル（２３）と、を有するブーム装置（２）を備えたブームスプレーヤであると、走行しながら粒剤及び薬液の両方を散布できる。また、走行しながら何れか一方のみの散布もできる。
【発明の効果】
【００１３】
このように本発明によれば、送風経路を短くし圧力損失を軽減できると共に、動力伝達の接続元と接続先の位置関係の自由度が高く、且つ、部品点数が少なく、構成を簡素化できる粒剤散布車を提供できる。
【図面の簡単な説明】
【００１４】
【図１】本発明の実施形態に係る粒剤散布車を左斜め前方且つ上方から見た斜視図である。
【図２】図１に示す粒剤散布車の右側面図である。
【図３】図１及び図２中の薬液タンク下に配置されるエンジンから電磁クラッチ部への動力伝達機構を示す拡大斜視図である。
【図４】電磁クラッチ部から送風機への動力伝達機構を示す斜視図である。
【図５】図４中の動力伝達機構の接続元の電磁クラッチ部を示す断面図である。
【図６】図４中の動力伝達機構の接続先の羽根車部を示す断面図である。
【発明を実施するための形態】
【００１５】
以下、本発明に係る粒剤散布車の好適な実施形態について、添付図面を参照しながら説明する。図１は、本発明の実施形態に係る粒剤散布車を左斜め前方且つ上方から見た斜視図、図２は、粒剤散布車の右側面図、図３は、薬液タンク下に配置されるエンジンから電磁クラッチ部への動力伝達機構を示す拡大斜視図、図４は、電磁クラッチ部から送風機への動力伝達機構を示す斜視図、図５は、動力伝達機構の接続元の電磁クラッチ部を示す断面図、図６は、動力伝達機構の接続先の羽根車部を示す断面図である。
【００１６】
本実施形態の粒剤散布車は、薬液散布車としてのブームスプレーヤが粒剤散布装置を搭載し粒剤散布の機能を併せ持つものであり、以降、単にブームスプレーヤと呼ぶ。このブームスプレーヤは、例えば圃場において走行しながら例えば肥料等の粒剤を散布すると共に、例えば農薬等の薬液を散布するものである。なお、以下の説明において、「前」、「後」、「左」、「右」は、ブームスプレーヤを基準とした方向とする。
【００１７】
図１及び図２に示すように、ブームスプレーヤ１００は自走式であり、走行可能な車両１と、車両１の前方で車両左右方向に沿って薬液を散布するためのブーム装置２と、車両１の前方へ粒剤を散布する粒剤散布装置３と、を備えている。
【００１８】
車両１は、車両前後方向に長い平面視略矩形状の車体フレーム４を備えている（図２参照）。車体フレーム４の車両左右方向両側下方で前後には、一対の前輪５及び一対の後輪６がそれぞれ設けられている。前輪５、後輪６は、駆動源としてのエンジン７（図２参照）の駆動により回転する。本実施形態では４輪駆動のため、前輪５及び後輪６が回転するが、前輪駆動、後輪駆動であっても良い。
【００１９】
車体フレーム４の前部上には、運転手が着座する空間を形成しハンドル８による運転操作や、粒剤散布操作、薬液散布操作、レバー操作等を行うための運転席９が設けられている。運転席９は屋根１０により上方から覆われている。屋根１０は、車体フレーム４の車両左右方向両側で運転席９の側方からそれぞれ立設された屋根柱１１により支持されている。運転席９の左側方には、下方へ延びる階段状のステップ１２が、運転席９に対して上り下りするためのものとして設けられている。
【００２０】
車体フレーム４の後部上には、エンジン７や薬液圧送ポンプ（不図示）等を収容するエンジンルーム１３が設けられている。エンジンルーム１３は、蓋となるボンネット（エンジンルームカバー）１４により開閉可能に覆われている。ボンネット１４は、エンジンルーム１３を上方から覆う上部を備える共に、車両左右方向側方から覆う側部をそれぞれ備え、後方へは開放されている。ボンネット１４の側部は、エンジンルーム１３の前部側より後方側を覆い、エンジン７等が車両左右方向外側へ露出するように構成されている（図２参照）。
【００２１】
車体フレーム４上で運転席９とエンジンルーム１３との間には、ブーム装置２から散布される薬液を収容する薬液タンク１５が搭載され、薬液タンク１５の前端中央上部を凹設することにより、上記運転席９が形成されている。薬液タンク１５は、その後部の上下方向中程から下部に亘って前方へ向かって凹設され、その凹設部５５が、エンジンルーム１３に連通する空間とされ、この空間下に、エンジン７からの動力を伝達する動力伝達機構３３の一部（図３参照）が配置されている。
【００２２】
車体フレーム４の前端部には、車両左右方向に対をなす４節リンク機構１６が前方に延びるようにそれぞれ配設されている。上記ブーム装置２は、４節リンク機構１６を介して車体フレーム４に支持されている。この４節リンク機構１６が、アクチュエータとしての電動油圧シリンダ１７の伸縮動作により作動することによって、４節リンク機構１６の上下方向に延びる前側リンク１８が昇降（上下動）し、後述する水平方向に延びる水平制御フレーム１９及びセンターブーム２０が昇降する。
【００２３】
ブーム装置２は、車両左右方向に延び上記前側リンク１８に固定された水平制御フレーム１９と、水平制御フレーム１９の下方に平行に配置され水平制御フレーム１９より車両左右方向に長い形状に構成されると共に、水平制御フレーム１９に対して車両左右方向に振り子状に揺動可能に支持され重力による水平制御により水平となるセンターブーム２０と、センターブーム２０の両端部に回動可能に連結された一対のサイドブーム２１と、を備えている。
【００２４】
センターブーム２０及びサイドブーム２１には、それぞれノズルパイプ２２が取り付けられており、各ノズルパイプ２２には、薬液散布用の噴霧ノズル２３が、長手方向に沿って複数設けられている。サイドブーム２１は、薬液散布を行うときには、図示の閉位置から回動移動しセンターブーム２０に対して一直線状となる開位置に広げられる。
【００２５】
そして、エンジン７の駆動により走行しながら薬液圧送ポンプが駆動され、薬液タンク１５の薬液は、センターブーム２０及びサイドブーム２１のノズルパイプ２２を介して噴霧ノズル２３から下方へ散布される。サイドブーム２１は、薬液散布を行わないときには図示の閉位置に回動移動して折り畳まれ、車体フレーム４の側方において斜め後ろ上がりの状態で格納されている。
【００２６】
粒剤散布装置３は、運転席９の前方でハンドル８より前側に設けられている。この粒剤散布装置３は、図１及び図４に示すように、送風機２４と、送風機２４から圧送される空気により粒剤を散布する粒剤散布部２５と、を備えている。送風機２４は、図４に示すように、羽根車２６が回転することにより空気を圧送する。粒剤散布部２５は、粒剤を収容する粒剤タンク２７を送風機２４の上部に備え、送風機２４の羽根車２６の回転による送風により、粒剤タンク２７内の粒剤を送り管２８を介して先端の散布口２９から前方へ散布する（図１及び図２も参照）。
【００２７】
図１及び図２に示すように、粒剤タンク２７は、ハンドル８の前方に配置され、その上部には、粒剤を内部に投入するための粒剤投入口を開閉可能に閉じるタンク蓋３０が設けられている。
【００２８】
送風機２４は、運転席床の前において、一対の４節リンク機構１６，１６同士間に配置され、送風機２４の背面が車体フレーム４の前端部にボルト結合により固定されている。
【００２９】
図３に示すように、エンジン７の動力は、エンジン７の出力軸に固定されたＶプーリ３１、Ｖプーリ３１に掛け回されたＶベルト３２へ伝達され、図３及び図４に示す動力伝達機構３３を介して羽根車２６へ伝達される。この動力伝達機構３３は、接続元となる電磁クラッチ部３４と、図４に示すように、接続先となる羽根車部３５と、車両前後方向に延び、電磁クラッチ部３４と羽根車部３５とを連結するフレキシブルシャフト３６と、を備えている。
【００３０】
図３〜図５に示すように、電磁クラッチ部３４は、上記Ｖベルト３２（図３参照）が掛け回されたＶプーリ３７と、Ｖプーリ３７に伝達された動力の連結、切り離しを行うための電磁クラッチ３８と、図５に示すように、電磁クラッチ３８に固定された電磁クラッチ側のシャフト３９と、電磁クラッチ側のシャフト３９に内輪が固定されると共にＶプーリ３７に外輪が固定された玉軸受４０，４０と、Ｖプーリ３７よりフレキシブルシャフト３６側へ配置され、電磁クラッチ側のシャフト３９を玉軸受４１，４１を介して回転自在に支持する玉軸受固定用のボス４２（図４も参照）と、を備え、電磁クラッチ側のシャフト３９とフレキシブルシャフト３６の一端とは、電磁クラッチ側の連結用金具４３を介して連結されている。なお、玉軸受４０，４１は、玉軸受位置決め用止め輪４４により軸線方向に位置決めされ、電磁クラッチ側のシャフト３９は、シャフト位置決め用止め輪４５により軸線方向に位置決めされている。
【００３１】
図４に示す羽根車部３５は、図６に示すように、羽根車２６と、羽根車２６にボス４６を介して固定される羽根車側のシャフト４７と、羽根車側のシャフト４７を玉軸受４８，４８を介して回転自在に支持する玉軸受固定用のボス４９（図４も参照）と、を備え、羽根車側のシャフト４７とフレキシブルシャフト３６の他端とは、羽根車側の連結用金具５０を介して連結されている。なお、玉軸受４８は、玉軸受位置決め用止め輪５１により軸線方向に位置決めされ、羽根車側のシャフト４７は、シャフト位置決め用止め輪５２により軸線方向に位置決めされている。
【００３２】
このように構成されたブームスプレーヤ１００によれば、運転手は、図１及び図２に示すように、ステップ１２を上がって運転席９に着席し、エンジン７を駆動させ、ブームスプレーヤ１００を走行させながら、薬液圧送用ポンプを駆動させて、センターブーム２０及び開位置に位置するサイドブーム２１の噴霧ノズル２３から薬液を下向きに散布する。
【００３３】
また、図３に示すように、エンジン７の動力を、Ｖプーリ３１、Ｖベルト３２、図４に示すように、通電により動力伝達可能とされた電磁クラッチ部３４、フレキシブルシャフト３６を介して、羽根車部３５の羽根車２６へ伝達し、羽根車２６を回転させることにより、粒剤タンク２７の粒剤を散布口２９から前向き（前方）に散布する。
【００３４】
このようなブームスプレーヤ１００にあっては、図１及び図２に示すように、粒剤散布装置３を構成する送風機２４及び粒剤散布部２５はともに、運転席９より車両前方に配置されているため、送風機を運転席より車両後方のエンジンルームに配置していた従来技術に比して、送風経路を短くでき、圧力損失を軽減できる。また、運転席９より車両後方に配置されるエンジン７の動力を、図４に示すように、車両前後方向へ延びるフレキシブルシャフト３６を介して、運転席９より車両前方に配置される送風機２４の羽根車２６に伝達するため、エンジンルームにベベルギヤボックスを配置しエンジンからの動力伝達方向を変えて送風機に伝達している従来技術に比して、動力伝達の接続元となる電磁クラッチ部３４と接続先となる羽根車部３５の位置関係の自由度を高めることができ、且つ、動力伝達に用いられるプーリ、ベルト等の部品点数を低減でき、構成を簡素化できる。
【００３５】
また、ブームスプレーヤ１００によれば、走行しながら粒剤及び薬液の両方を散布できる。また、走行しながら何れか一方のみの散布もできる。
【００３６】
また、例えば、粒剤を肥料とし、薬液を農薬とすることにより、農薬を下向きに散布し、肥料を前向きに散布できるため、農薬の散布箇所より前方へ肥料を散布できることになり、肥料の農薬への溶け込みを防ぐことができ、農薬の無効化や薬害の発生を防止できる。
【００３７】
以上、本発明をその実施形態に基づき具体的に説明したが、本発明は上記実施形態に限定されるものではなく、例えば、上記実施形態においては、特に好適であるとして、駆動源をエンジン７としているが、モータ等であっても良い。
【００３８】
また、上記実施形態においては、特に好適であるとして、ブームスプレーヤ１００に対する適用を述べているが、粒剤を散布する粒剤散布装置を備えた自走式車両（粒剤散布車）全てに対して適用できる。
【符号の説明】
【００３９】
２…ブーム装置、３…粒剤散布装置、７…エンジン、９…運転席、２０…センターブーム、２１…サイドブーム、２３…噴霧ノズル、２４…送風機、２５…粒剤散布部、２６…羽根車、３６…フレキシブルシャフト、１００…ブームスプレーヤ（粒剤散布車）。
【図１】
2022001017.tif 000003
【図２】
2022001017.tif 000004
【図３】
2022001017.tif 000005
【図４】
2022001017.tif 000006
【図５】
2022001017.tif 000007
【図６】
2022001017.tif 000008